(57)【要約】【課題】本発明は、商用電源が何者かに切断されても監視画像を途切れることなく記録し続ける画像記録システムを提供することを目的とする。【解決手段】ＡＣ−ＤＣコンバータ６０３からのＡＣ電源入力が遮断されると、電源切換部６０４は自動的にＰｏＥインターフェース部からのＰｏＥ電源入力に切り換わる。そして、ＰｏＥ電源を画像記録装置６内に供給し、制御部６０５は、電源が切り換わると異常信号を外部に発報し、記録部６０６への画像の記録レートを通常時より高くする。これにより、何者かが重大な行為を行っている場面を漏れなく記録することができる。また、記録レートを高くするのみでなく、解像度を上げてもよい。【選択図】図２
2011182016.tif 000002
【特許請求の範囲】
【請求項１】
通常時に電源を供給する商用電源と、ネットワークから画像データ等のデータ信号と電源とを入力するＰｏＥインターフェース部と、前記画像データの記録を制御する制御部と、前記画像データを記録する記録部とを備える画像記録装置であって、
前記商用電源とＰｏＥ電源とを切り換える電源切換部を有し、
前記商用電源からの電源供給が停止すると、前記電源切換部は、ＰｏＥ電源からの電源供給に切り換え、前記制御部は、前記画像データの記録レートを通常時の記録レートより高くすることを特徴とする画像記録装置。
【発明の詳細な説明】
【技術分野】
【０００１】
本発明は、監視カメラにより撮像された画像を記録し、電源が遮断されても機能する画像記録装置に関する。
【背景技術】
【０００２】
画像監視システムは、ホテルやビル、コンビニエンスストア金融機関、ダムまたは道路等といった様々な公共施設等において、犯罪抑止や事故防止等の目的で設置されている。従来の一般的な画像監視システムでは、カメラ等で監視対象エリアを撮像し、撮像された画像を管理事務所や警備室等の監視センタに伝送し、監視者が、伝送されてくる画像により監視対象を監視し、目的や必要に応じて注意や警告をしたり、画像を記録・保存したりするものであった。
【０００３】
近年、監視カメラの画像をデジタル化し、インターネットに代表されるネットワークを介して、画像を伝送し監視を行うネットワーク型の画像監視形態が普及してきている。特に金融機関や商店等においては、監視画像を記録しておき、記録画像を問題発生時に遡って観返すという監視形態が求められている。
【０００４】
記録型監視には、例えば、人物がドアを通ったときだけ記録する、あるエリアで物体の動きがあったときだけ記録する、といったイベントが発生したときだけ記録するアラーム記録がある。
【０００５】
従来の監視形態について、図１を用いて説明する。
図１は、画像監視システムの全体構成を示すブロック図である。１は監視対象エリアを撮像して画像信号を出力するカメラ、２はカメラからの画像信号やセンサからのアラーム信号をデジタル化しエンコードしてネットワークに配信するエンコーダ、３は例えばドアセンサや動体検知センサ、赤外線センサ、熱センサ等の監視対象エリアにおける変化や異常等のイベントがあった際にアラーム信号を出力するセンサ、４は機器から発信されたデータを伝送するネットワークケーブルや無線ＬＡＮ（Local Area Network）、公衆回線等のネットワーク、５はネットワークＩ／Ｆと画像コーデック、画像表示機能を内蔵したＰＣ、６はＨＤＤ（Hard Disk Drive）やＳＳＤ（Solid State Drive）等を有し、ネットワークより伝送された画像等のデータを記録する画像記録装置である。
【０００６】
ここで、本実例ではカメラとエンコーダを分離して記載するが、カメラとエンコーダが一体化したＷＥＢカメラを用いても同様の効果を奏することができる。また、センサ３は、エンコーダ以外にも、ネットワークに直接接続されていても良いし、画像記録装置６に接続されていても良く、カメラ２やエンコーダ４、画像記録装置６の筺体に人物が押下するためのアラーム記録ボタンとして設けられても良い。また、ネットワーク４にはルータやハブ等のネットワーク機器も含まれることとし、ネットワーク４に接続された各装置は、このネットワークを介して互いに通信し合うことができるものとする。
【０００７】
カメラ１は監視対象エリアを撮像して画像信号を出力し、エンコーダ２へ入力する。センサ３は監視対象エリアにおける変化や異常等を検知し、アラーム信号をエンコーダ２へ出力する。エンコーダ２は、画像信号やアラーム信号をデジタル化し、ＭＰＥＧ−４（Moving
Picture Experts Group phase 4）やＭＪＰＥＧ（Motion Joint Photographic Experts Group）等の規格を用いて画像圧縮してエンコードし、ネットワーク４へ出力する。ＰＣ５は、ネットワークから伝送された画像データを受信し、画像表示が可能な形式にデコードし、モニタに表示する。また、マウスやキーボード等の操作Ｉ／Ｆを用いて、ＧＵＩ上で、ネットワーク４を通じて画像記録配信装置に対し再生や早送り、各種設定等の操作を行う。画像記録装置６は、ネットワークから伝送された画像データを受信し、記録する。
なお、特許文献１には、監視範囲内にいる被写体の数を計測し、計測した数が所定値を越えていれば記録のフレームレートを高く設定し、計測した数が所定値を越えていなければ記録のフレームレートを低く設定し、被写体の画像を、設定したフレームレートに変換して記録することが開示されている。
【先行技術文献】
【特許文献】
【０００８】
【特許文献１】特開２００７−２５１３２４号公報
【発明の概要】
【発明が解決しようとする課題】
【０００９】
上述した従来の画像記録装置においては、何者かに電源供給元である商用電源（ＡＣ電源）を切断されると、電源の供給が停止してしまい、その後の画像の記録が不可能となってしまう。また、強制的に電源を遮断されるため、既に記録した画像や記録中の画像データが壊れてしまう可能性もあり、状況証拠を残すことができなくなってしまう虞がある。
【００１０】
この様な課題を鑑み、本発明は、商用電源が何者かに切断されても監視画像を途切れることなく記録し続ける画像記録システムを提供することを目的とする。
【課題を解決するための手段】
【００１１】
本発明の画像記録装置は、通常時に電源を供給する商用電源と、ネットワークから画像データ等のデータ信号と電源とを入力するＰｏＥインターフェース部と、前記画像データの記録を制御する制御部と、前記画像データを記録する記録部とを備える画像記録装置であって、前記商用電源とＰｏＥ電源とを切り換える電源切換部を有し、前記商用電源からの電源供給が停止すると、前記電源切換部は、ＰｏＥ電源からの電源供給に切り換え、前記制御部は、前記画像データの記録レートを通常時の記録レートより高くすることを特徴とする。
【発明の効果】
【００１２】
本発明によると、商用電源からの電源供給が停止するとＰｏＥからの電源供給に切り換えて動作させるため、電源供給が停止することなく監視画像を記録し続けることができる。
【図面の簡単な説明】
【００１３】
【図１】画像監視システムの全体構成を示すブロック図である。
【図２】本発明の一実施例の画像記録装置の構成を示すブロック図である。
【発明を実施するための形態】
【００１４】
以下、図面を参照して本発明の実施形態について詳細に説明する。上述した図１に示す構成は本発明でも同様なため、重複した説明は回避する。
【００１５】
図２は、本発明の一実施例の画像記録装置の構成を示すブロック図である。６０１は通常時に画像記録装置６に電源を供給する商用電源プラグ（ＡＣ１００Ｖ〜２４０Ｖ）、６０２はネットワーク４から画像データ等の通信データと電源（ＤＣ４８Ｖ）を入力するＰｏＥ（Ｐｏｗｅｒ
ｏｖｅｒ Ｅｔｈｅｒｎｅｔ（登録商標））インターフェース部、６０３は商用電源６０１から供給されたＡＣ電源を機器に対応するＤＣ電源へ変換するＡＣ−ＤＣコンバータ、６０４はＡＣ−ＤＣコンバータ６０３からの電源供給とＰｏＥインターフェース部６０２からの電源供給とを切り換える電源切換部、６０５は画像記録装置６内全体の制御を行う制御部、６０６は入力された画像データを記録する記録部である。なお、ＰｏＥは、ＩＥＥＥ８０２．３ａｆに基づき規格化されており、ＬＡＮケーブル等の信号線を介して通信データと電源を同時に授受することができるものである。
【００１６】
画像データは、ＬＡＮケーブル等の信号線を介してＰｏＥインターフェース部６０２に入力され、電源と分離された後、制御部６０５を介して所定の記録レートで記録部６０６に記録される。
【００１７】
商用電源プラグ６０１は、壁面などに設置されるプラグ受けに接続することで、画像記録装置６内に電源を供給する。供給された電源は、ＡＣ−ＤＣコンバータ６０３によりＡＣ電源から各機器に対応するＤＣ電源へ変換され、電源切換部６０４を介して画像記録装置６内の各部に供給される。一方、ＬＡＮケーブル等の信号線を介して入力されるＰｏＥ電源は、ＰｏＥインターフェース部６０２により画像データ等の通信データと分離され、各機器に対応する電圧に変換されて電源切換部６０４に入力される。このとき、ＰｏＥ電源と商用電源とが同時に入力された場合、電源切換部６０４は、商用電源を優先的に選択して電源供給を行う様動作する。電源切換部６０４の詳細については後述する。
【００１８】
ここで、何者かにより商用電源を切断された際の動作について説明する。
ＡＣ−ＤＣコンバータ６０３からのＡＣ電源入力が遮断されると、電源切換部６０４は自動的にＰｏＥインターフェース部からのＰｏＥ電源入力に切り換わる。そして、ＰｏＥ電源を画像記録装置６内に供給し、制御部６０５は、電源が切り換わると異常信号を外部に発報し、記録部６０６への画像の記録レートを通常時より高くする。これにより、何者かが重大な行為を行っている場面を漏れなく記録することができる。また、記録レートを高くするのみでなく、解像度を上げてもよい。
【００１９】
ここで、電源切換部６０４について説明する。
６１１は電源障害が発生した際に電源供給ラインを切り換えるスイッチ、６１２は電源供給ラインの切り換え時に電源ラインと接地に一気に電流が流れて電気機器が破壊されるのを防止する電源短絡防止素子、６１３は電源供給ラインの切り換え時に電源供給が一瞬止まるのを防止するために、電力を一時的に充電しておき電源瞬断時に電力を供給する電源瞬断保護素子である。例えば、スイッチ６１１はＦＥＴ(Field Effect Transistor)、特にパワーＭＯＳＦＥＴ(Metal Oxide Semiconductor Field Effect Transistor)等であり、電源短絡防止素子６１２はダイオード等であり、電源瞬断保護素子６１３は電解コンデンサ等である。
【００２０】
スイッチ６１１で用いるパワーＭＯＳＦＥＴの種類にはＮチャネル型とＰチャネル型があるが、特性上Ｐチャネル型の採用が望ましい。ＡＣ電源の直流電圧出力を制御ラインとしてＰチャネル型パワーＭＯＳＦＥＴのＧａｔｅと接続し、電源供給元とソース端子を接続し、電源受給機器側にはドレイン端子を接続する。これにより、ＡＣ−ＤＣコンバータ６０３から商用電源が供給されている場合にはＦＥＴのスイッチはＯＦＦとなり、ＦＥＴのソースからドレインには電圧が供給されない。つまりＰｏＥインターフェース部６０２からのＰｏＥ電源の供給を受け付けない形となる。逆にＡＣ−ＤＣコンバータ６０３から商用電源の供給が停止した場合は、ＦＥＴのスイッチはＯＮ状態となりソースからドレインに電圧が供給される。つまりＰｏＥインターフェース部６０２からのＰｏＥ電源の供給を受け付ける形となり、商用電源に障害が発生した場合に商用電源からＰｏＥ電源へ電源供給を切り換えることができる。
【００２１】
また、商用電源の出力及びＰｏＥ電源のスイッチ６１１を介した出力は、各電源受給機器に電源を供給する直前で電気回路的に繋がっているため、そのまま電源を切り換えると、停止している側の電源に逆電圧がかかり機器が破損する恐れがある。そのため、両方の電源出力に逆流防止用のダイオードを順方向にそれぞれ接続することで、逆電圧による機器の破損を防ぐ。
【００２２】
また、電源瞬断保護素子６１３を各機器へ電源を供給する直前の位置に設置しておくことにより、電源を一時的に充電しておき電源瞬断時に電源を供給し、電源供給ラインの切り換え時に電源供給が一瞬停止すること（瞬断）を防止する。
【００２３】
以上に説明した様に、本発明によれば、何らかの事象で商用電源が遮断された際にも、画像記録装置への電源の供給が遮断されることなく、画像データの記録を継続することができる。
【００２４】
また、商用電源が切断されたということは何者かが犯罪の証拠隠滅目的で行ったと判断し、画像データの記録レートを高くすることで、重要な犯行資料を残すことができる。
【符号の説明】
【００２５】
１：カメラ、２：エンコーダ、３：センサ、４：ネットワーク、５：ＰＣ、６：画像記録装置、６０１：商用電源プラグ、６０２：ＰｏＥインターフェース部、６０３：ＡＣ−ＤＣコンバータ、６０４：電源切換部、６０５：制御部、６０６：記録部、６１１：スイッチ、６１２：電源短絡防止素子、６１３：電源瞬断保護素子。
【図２】
2011182016.tif 000003
【図１】
2011182016.tif 000004